(57)【特許請求の範囲】
【請求項１】
入力部を有する本体と、前記本体に回動自在に取り付けられた表示部からなる蓋体と、前記本体と蓋体とを閉合状態で吊り下げて運搬するための取手部とを備え、前記本体と蓋体とをそれらの閉合時に互いに係止状態に保持するようにしたものにおいて、前記取手部に設けられ、前記取手部による本体と蓋体との吊り下げ運搬時に前記取手部の垂直方向の移動に伴って移動する円弧面を有する磁石と、前記本体に回動自在に取り付けられ長手方向一端側の側面を前記磁石の円弧面と接して前記磁石に吸引される係止部材とを設け、前記係止部材は、前記取手部の吊り下げ運搬時における垂直方向の移動による前記磁石の移動に応じ前記磁石の吸引力により前記一端側の側面を前記磁石の円弧面に接して回動するとともに、長手方向他端側に形成した爪部を係止方向に回動して前記本体と蓋体とを係止状態に保持し、運搬後の取手部の復帰動作による磁石の動きに応じて反対方向に回動し、前記爪部を非係止方向に回動させることを特徴とする可搬形電子機器のロック装置。
【発明の詳細な説明】
【０００１】
【産業上の利用分野】
この発明は、ラップトップ形の小型パソコンや制御機器の可搬形プログラミング装置に関するものである。この制御機器の可搬形プログラミング装置は、単体で制御機器のプログラムを作成（入力）し、記憶することが可能であり、制御機器本体に直付け、またはケーブル、電波、音波等を介して交信し、プログラミングの書込み、読出し、モニタ等を行う表示部分とキーボードスイッチ入力部分を備え、制御機器をサポートするものである。
【０００２】
【従来の技術】
ラップトップ形のパソコンや制御機器の可搬形プログラミング装置は、キーボードスイッチ入力部を有する本体に表示器を備えた表示部で構成される蓋体が回動自在に取付けられ、収納時に本体と表示部分が閉じて一体となる構造が採用されている。
【０００３】
図９は、従来のパソコンや制御装置の可搬形プログラミング装置の構成を示す使用時の斜視図である。
【０００４】
図１０は、収納時の表示部分が閉じた収納状態を示す斜視図である。
【０００５】
図９、図１０において、１はプログラムを作成、記録するマイクロプロセッサ、メモリおよび制御機器と交信するインタフェースポートを有するプログラミング装置本体、２は本体１に収納固定された入力用キーボードスイッチ、３は本体に取付けられた運搬移動用の取手、４は本体１に回動自在に取り付けられた表示部で構成される蓋体、５は表示部に取付けられた液晶・プラズマ等の表示器、６は表示部に取付けられ、表示部を閉じたときに本体と係合し、押すと開放する爪部を備えた表示部開閉レバーである。
【０００６】
次に作用について説明する。表示部４に取り付けられた表示器５は、プログラミング装置本体１と電気的に接続されており、本体１に収納固定されているキーボードスイッチ２より入力した内容を表示器５に表示して制御機器に書き込み（入力する）、任意のプログラムを作成（入力）および記憶する。
【０００７】
記憶されたプログラムは、本体１に交信ポートと制御機器をケーブル等で接続し、交信ポートを介して制御機器へ書込まれる。また、交信ポートを介してすでに書込まれたプログラムの読出し、修正および制御機器のモニタ等に使用される。
【０００８】
収納時は、本体１に回転自在に取付けられた表示部４を閉じると、表示部４に備えられた表示部開閉レバーの爪部が本体１の係合穴に係合して本体１と一体となり、本体１に取付けられた取手３を持って容易に運搬することができる。
【０００９】
本体１のキーボードスイッチには、プログラムに必要な文字、記号等が印刷され識別されている。
【００１０】
このように制御機器の可搬形プログラミング装置は、制御機器のプログラムの作成、立上げ、保全等に事務所および制御機器の設置された現場に運搬して机上または床置にて使用される。
【００１１】
【発明が解決しようとする課題】
従来のパソコンや制御機器の可搬形プログラミング装置は、以上のように構成されているので、下記のような問題があった。
【００１２】
収納状態において、取手を持ち上げて運搬するとき、表示部開閉レバー６に手（指）があたり、表示部が誤って開くという問題があった。
【００１３】
この発明は、吊り下げ運搬の際の蓋体の回動を、吊り下げ運搬時の取手の動きに関連して係止部材に磁石による駆動力を作用させることにより、有効かつ確実に防止しようとすることを目的とする。
【００１４】
【課題を解決するための手段】
この発明は、入力部を有する本体と、前記本体に回動自在に取り付けられた表示部からなる蓋体と、前記本体と蓋体とを閉合状態で吊り下げて運搬するための取手部とを備え、前記本体と蓋体とをそれらの閉合時に互いに係止状態に保持するようにしたものにおいて、前記取手部に設けられ、前記取手部による本体と蓋体との吊り下げ運搬時に前記取手部の垂直方向の移動に伴って移動する円弧面を有する磁石と、前記本体に回動自在に取り付けられ長手方向一端側の側面を前記磁石の円弧面と接して前記磁石に吸引される係止部材とを設け、前記係止部材は、前記取手部の吊り下げ運搬時における垂直方向の移動による前記磁石の移動に応じ前記磁石の吸引力により前記一端側の側面を前記磁石の円弧面に接して回動するとともに、長手方向他端側に形成した爪部を係止方向に回動して前記本体と蓋体とを係止状態に保持し、運搬後の取手部の復帰動作による磁石の動きに応じて反対方向に回動し、前記爪部を非係止方向に回動させるものである。
【００１５】
【作用】
この発明においては、運搬時に本体と蓋体とが閉じた状態で取手を持ち上げると、係止部材が磁石保持手段による磁力によって係止方向に移動して、本体と蓋体とを係止状態とし、運搬後の取手部の復帰によって係止部材を非係止方向に移動させる。
【００１６】
【実施例】
参考例１
後述する実施例１の前提説明となる参考例１に係わる可搬式電子機器のロック装置は、キーボードスイッチ入力部を有する本体に表示器を備えた表示部からなる蓋体が回転自在に取付けられ、収納時に本体と表示部が閉じて一体となるパソコンや制御機器の可搬形プログラミング装置において、取手の取付部が水平方向に可動自在な取手を備え、可搬時に本体と表示部を閉じた状態で取手を持ち上げると、取手の取付部が水平方向に移動することにより表示部と本体が係合し、閉じた状態に保持する機構を備えたものである。
【００１７】
参考例１を図１〜図４により説明する。図中、従来例と同じ符号で示されたものはそれと同一もしくは同等なものを示す。図１はパソコンや制御機器の可搬形プログラミング装置の構成を示す使用時の斜視図、図２は本体の取手取付部の断面図、図３は本体と表示部からなる蓋体を閉じた状態で取手を持ち上げる前の取付部正面断面図、図４は取手を持ち上げた取付部断面図である。
図１〜４において、３は取手部、３ａは取手のグリップ、３ｂは弾性体の芯材、３ｃは芯材３ｂに設けられた保持レバーとの連結穴、４ａは表示（回動）部に設けられた保持レバーの係合穴、７は芯材３ｂを水平方向に可動自在に固定するリティナ、８はリティナ７を本体１に固定するねじ、９は芯材３ｂと連結し表示部の係合穴４ａに係合する爪部を備え、本体１に回動回転自在に取付けられた保持レバーからなる係止部材、１０は芯材３ｂに連結するために保持レバー９に取付けられたピン、１１は保持レバー９を回転自在で本体１に固定するピン、１２は芯材３ｂの本体１への取付部を覆うカバーである。
【００１８】
次に作用について説明する。本体１と表示部４を閉じた状態で取手３ａを持ち上げると、本体１と表示部４の重力によりたわみ、水平方向に可動自在な芯材３ｂが中心方向に平行移動（スライド）する。そして、心材３ｂの連結穴３ｃにピン１０で連結された保持レバー９が回転し、それの爪部が表示部の係合穴４ａに係合して表示部は閉じた状態に自動的に保持される。次に、運搬移動後取手を放す（下げる）と芯材３ｂは弾性力により外側へスライドして元に戻るため、保持レバー９は逆回転し、表示部の係合穴４ａから爪部が外れ本体１に格納され、ロックが自動的に解除される。
【００１９】
以上説明したようにこの参考例によれば、表示部からなる蓋体が閉じられた状態で本体に取り付けられた取手部を持ち上げると取手部に一端が固定された弾性体が水平方向にスライドし、回動可能に本体に支持された保持レバーがこの弾性体のスライドにより回動しこの保持レバーの爪先部が表示部と自動的に係合保持されるとともに、取手を放すと弾性体の弾性力により自動的にロック保持が解除される構成にしたので、取手を持ち上げるときに誤って表示部開閉レバーに指先等が触れることにより表示部が開くという危険を防止でき、操作性を向上できるとともに、構成部品点数の増加や構造の複雑化による製作コストの大幅な上昇や信頼性の低下を防止でき、さらに、本体内部等への張出量の大幅な増加を防止できる効果がある。
【００２０】
参考例２
後述する実施例１の前提説明となる参考例２に係わる可搬式電子機器のロック装置は、参考例１と同様なパソコンや制御機器の可搬形プログラミング装置において、垂直方向に可動（伸縮）する可搬用の取手を備え、可搬時に本体と表示部を閉じた状態で取手を持ち上げると、取手が垂直方向に伸びる（移動する）ことにより表示部と本体が係合し、閉じた状態に保持する機構を備えたものである。
【００２１】
参考例２を図５、図６により説明する。図中、従来例および参考例１と同じ符号で示されたものは従来例および実施例１のそれと同一もしくは同等なものを示す。図５は本体と表示部を閉じた状態で取手を持ち上げる前の取付け部横断面図、図６は取手を持ち上げた時の取付け部横断面図である。図５、図６において、３ｅはコ字形の芯材、３ｃは芯材３ｅに設けられた保持レバー９からなる係止部材との連結穴、７ａは芯材３ｅを垂直方向に可動自在に固定するリティナである。
【００２２】
次に作用について説明する。本体１と表示部４を閉じた状態で取手３ａを持ち上げると、垂直方向に可動自在な芯材３ｅが上方（外側）にスライドする。そして、芯材３ｅの連結穴３ｃにピン１０で連結された保持レバー９が回転し、それの爪部が表示部の連結穴４ａに係合して、表示部４は閉じた状態に保持される。次に、可搬後取手３ａを重力または手で押して本体１に格納すると、芯材が内側へスライドするため連結された保持レバー９は逆回転し、表示部の係合穴４ａから爪部が外れ本体１に格納される。
【００２３】
参考例２によれば、構成部品点数が少なく取手の芯材に弾性体を使用する必要がなく実施例１に比べ製作コストを安くできる。また、可搬時に本体と表示部分を閉じた状態で取手を持ち上げると、本体に取り付けられた取手と連結または連係する保持レバーの爪部が表示部と本体と表示部の重力により自動的に係合保持するので、可搬時に表示部開閉レバーに手（指）等が触れても表示部が開くという危険を防止でき、操作性、安全性が向上する効果がある。
【００２４】
実施例１
実施例１に係わる可搬式電子機器のロック装置は、参考例１または参考例２のパソコンや制御機器の可搬式電子機器のロック装置において、取手部と係合する磁石を有し、運搬時に本体と表示部を閉じた状態で取手部を持ち上げると、磁石の力により表示部と本体を係合し、閉じた状態に保持する機構を備えたものである。
【００２５】
実施例１を図７、図８により説明する。図中、従来例、参考例１，２と同じ符号で示されたものは従来例、参考例１，２のそれと同一もしくは同等なものを示す。図７は本体と表示部を閉じた状態で取手部を持ち上げる前の取手部取付部分の横断面図、図８は取手部を持ち上げた時の取手部取付部分の横断面図である。図７、図８において、９ｂは一端部に蓋体を構成する表示部４の係合穴４ａと係合する爪部を備え、本体１に回動自在に取り付けられた吸磁される金属の保持レバーからなる係止部材、１４は取手のグリップ３ａとともに取手部を構成する芯材３ｅに取り付けられた円弧面を有する永久磁石である。保持レバー９ａおよび磁石１４は磁石保持手段を構成する。
保持レバー９ｂからなる係止部材は、図７および図８に示すように、その他端部を磁石１４の円弧面に接して磁石１４に吸着されている。
【００２６】
次に作用について説明する。図７に示す取手部による本体１と表示部４からなる蓋体の吊り下げ運搬時に本体１と表示部４からなる蓋体を閉じた状態でコ字形の芯材３ｅとともに取手部を構成する取手のグリップ３ａを持ち上げると、垂直方向に可動自在な芯材３ｅが上方（外側）［図示左方向］にスライドし、それに取り付けられた磁石１４もスライドする。そして保持レバー９ｂはその他端部を磁石１４の円弧面に接した状態で磁石１４の吸引力により反時計式に回動し、保持レバー９ｂの爪部が表示部４の係合穴４ａに係合して表示部４は閉じた状態に保持される。次に運搬動作終了後取手のグリップ３ａを重力または手で押して本体１に格納すると、保持レバー９ｂは芯材３ｅに押されて時計式に逆回転し、表示部４の係合穴４ａから爪部が外れ本体１に格納される。
【００２７】
実施例１によれば、構成部品点数が少なくばねが不要で保持レバー９ｂと芯材３ｅは磁力により自動的に連接するため、組立が極めて容易であり、実施例３に比べ製作コストを安くできる。また可搬時に本体１と表示部４を閉じた状態で取手のグリップ３ａを持ち上げると、本体１に取り付けられた取手のグリップ３ａと連結または連係する保持レバー９ｂの爪部が表示部４と磁力により自動的に係合保持するので、可搬時に表示部開閉レバーに手（指）等が触れても表示部４が開くという危険を防止でき、操作性、安全性が向上する効果がある。
【００２８】
【発明の効果】
この発明によれば、吊り下げ運搬の際の蓋体の回動を、吊り下げ運搬時の取手の動きに関連して係止部材に磁石による駆動力を作用させることにより、有効かつ確実に防止することができる。係止部材は磁石による駆動力により作動されるため、その動作が的確であるばかりでなく、機械的連結を省略することが可能となる。
【図面の簡単な説明】
【図１】  参考例１における制御機器の可搬形プログラミング装置の構成を示す使用時の斜視図である。
【図２】  参考例１における本体への取手部の取り付け状態を示す取手部取付部分の断面図である。
【図３】  参考例１における本体と表示部を閉じた状態で取手部を持ち上げる前の状態を示す取手部取付部分の正面断面図である。
【図４】  参考例１における取手部を持ち上げた状態を示す取手部取付部分の断面図である。
【図５】  参考例２における本体と表示部を閉じた状態で取手部を持ち上げる前の状態を示す取手部取付部分の横断面図である。
【図６】  参考例２における取手部を持ち上げたときの状態を示す取手部取付部分の横断面図である。
【図７】  実施例１における本体と表示部を閉じた状態で取手部を持ち上げる前の状態を示す取手部取付部分の横断面図である。
【図８】  実施例１における取手部を持ち上げたときの状態を示す取手部取付部分の横断面図である。
【図９】  従来のパソコンや制御機器の可搬形プログラミング装置の構成を示す使用時の斜視図である。
【図１０】  従来技術における収納時の表示部分が閉じた収納状態を示す斜視図である。
【符号の説明】
１  プログラミング装置本体、２  入力用キーボードスイッチ、３  運搬用の取手部、３ａ  取手のグリップ、３ｂ  弾性体の芯材、３ｃ  保持レバーとの連結穴、３ｅ  コ字形の芯材、４  表示部からなる蓋体、４ａ  保持レバーとの係合穴、５  液晶・プラズマ等の表示器、６  表示部開閉レバー、７  リティナ、７ａ  リティナ、８  ねじ、９  保持レバーからなる係止部材、９ａ  保持レバーからなる係止部材、９ｂ  磁性体金属の保持レバーからなる係止部材、１０  保持レバーに取付けられたピン、１１  本体に固定するピン、１２  カバー、１４  磁石保持手段を構成する永久磁石。
【図１】
0003704168.tif 000002
【図２】
0003704168.tif 000003
【図３】
0003704168.tif 000004
【図４】
0003704168.tif 000005
【図５】
0003704168.tif 000006
【図６】
0003704168.tif 000007
【図７】
0003704168.tif 000008
【図８】
0003704168.tif 000009
【図９】
0003704168.tif 000010
【図１０】
0003704168.tif 000011